(57)【要約】【課題】畳の上を含む多様な家庭の掃除が簡単かつ有効にできる掃除具を提供する。【解決手段】棒状の柄部１１と、柄部１１の先端に設けられた非可撓性の甲１４と、 甲１４の下面に設けられた可撓性の掃引部１２aを備える。掃引部１２aが甲１４の下面に接続された板状の基体１２baseと、基体１２baseの下面の少なくとも一部に連続する突起部１２p00を有する。【選択図】図２
2020000294.tif 000002
【特許請求の範囲】
【請求項１】
棒状の柄部と、
前記柄部の先端に設けられた非可撓性の甲と、
前記甲の下面に設けられた可撓性の掃引部と
を備え、前記掃引部が、前記甲の下面に接続された板状の基体と、前記基体の下面の少なくとも一部に連続する突起部を有することを特徴とする掃除具。
【請求項２】
前記突起部は、
前記基体の下面の少なくとも一部に連続する第１の突起部と、
前記第１の突起部と一体となるように、前記第１の突起部の下面の少なくとも一部に連続し先端側の領域を構成する第２の突起部と、
を有することを特徴とする請求項１に記載の掃除具。
【請求項３】
前記突起部は、前記第２の突起部の先端側の端部の一部に、前記第２の突起部と一体となるように連続する第３の突起部を更に有することを特徴とする請求項２に記載の掃除具。
【請求項４】
長方形の面状カバーの少なくとも一方の端部側を折り曲げ、前記一方の端部に対向する他方の端部側と共に、前記面状カバーの両端部を前記甲に押圧して固定する保持具を更に備え、
前記面状カバーが前記突起部を含むように前記掃引部を覆い、前記突起部の先端部の長手方向に垂直となる方向に、前記面状カバーが前記掃引部の表面を移動可能にすることを特徴とする請求項１〜３のいずれか１項に記載の掃除具。
【発明の詳細な説明】
【技術分野】
【０００１】
本発明は家庭の掃除等に好適な掃除具に関する。
【背景技術】
【０００２】
自在箒は、長尺の直方体状をなすヘッド部と、ヘッド部の中央にＴ字をなすように結合した棒状の柄を有しているので、「Ｔ字箒」とも呼ばれる。ここで、ヘッド部の長辺方向とヘッド部の上面の法線方向とで回転面を定義する。自在箒は、柄の下方の先端を支点として、回転面上で１８０°回転移動可能なように、柄の下方の先端が、ヘッド部の長辺方向の中央の上部で結合されている。ヘッド部の長手方向に整列するようにブラシがヘッド部の下に設けられている。このため、ブラシで掃除する際に、回転面上でヘッド部に対する柄の角度が自在に変えられる。
【０００３】
自在箒のブラシの毛の長さは４ｃｍ程度のものが一般的であり、フローリングやタイルなど凹凸の少ない床面上のゴミや埃を掃き集めるのに適するが、使用しているうちにブラシにゴミや埃が絡まってくる。ブラシに絡まったゴミや埃を手作業で除去するのは煩わしく、又、自在箒はヘッド部のみを交換できるものが多いが、ヘッド部を頻繁に交換するのは経済的でない。
【０００４】
一方、床面の清掃具（清掃用具）として、床面に接触してゴミや埃が付着するヘッド部の洗浄が簡単なモップ、ヘッド部に装着する吸着シート（掃除シート）が安価であるため交換が容易であるフローリングワイパーが挙げられる。しかし、これらの清掃具はヘッド部を衛生的に保つことはできるものの、畳の目に残るような細かい埃が取りづらいという問題点がある。
【０００５】
自在箒のブラシによる埃の飛散をなくし、モップ等による拭き掃除と同様の清掃を同時に行うことを目的として、自在箒のヘッド部をＵ字型に囲んで用いる払掃具が提案されている（特許文献１参照。）。しかし、特許文献１に記載された発明は、自在箒のブラシをそのまま払掃具がＵ字型に囲んだ構造であり、ブラシと払掃具との間には遊び空間が存在し、畳の目に残るような細かい埃を取るのは困難であった。
【０００６】
更に特許文献１に記載された発明では払掃具の面積が自在箒のブラシを覆うだけの面積に限定して裁断され、Ｕ字型に折り曲げた払掃具の上端を面ファスナー等で固定している。このため、特許文献１に記載された発明では掃除により払掃具が汚れた場合は、使い捨てにするか再生工程のプロセスを実施する必要があり、不便であった。
【先行技術文献】
【特許文献】
【０００７】
【特許文献１】特許第３０７１４００号
【発明の概要】
【発明が解決しようとする課題】
【０００８】
上記問題点を鑑み、本発明は畳の上を含む多様な家庭の掃除が簡単かつ有効にできる掃除具を提供することを目的とする。
【課題を解決するための手段】
【０００９】
本発明の一態様は、棒状の柄部と、この柄部の先端に設けられた非可撓性の甲と、この甲の下面に設けられた可撓性の掃引部を備える掃除具であることを要旨とする。本発明の一態様に係る掃除具の掃引部は、甲の下面に接続された板状の基体と、この基体の下面の少なくとも一部に連続する突起部を有する。
【発明の効果】
【００１０】
本発明によれば、畳の上を含む多様な家庭の掃除が簡単かつ有効にできる掃除具が提供できる。
【図面の簡単な説明】
【００１１】
【図１】本発明の第１実施形態に係る掃除具の一例を示す模式的な正面図である。
【図２】第１実施形態に係る掃除具の裸の状態の構造の概略を説明する模式的な左側面図である。
【図３】第１実施形態に係る掃除具の構成の要部の一部を説明するための模式的な左側面図である。
【図４】図４（ａ）は図１のVI−VI方向に沿った第１実施形態に係る掃除具の部分断面図で、図４（ｂ）は使用の状態に応じた面状カバーの変化を説明する図である。
【図５】第１実施形態に係る掃除具の一例を示す模式的な背面図である。
【図６】図６（ａ）は第１実施形態に係る掃除具の保持具の一例を示す模式的な正面図であり、図６（ｂ）は第１実施形態に係る掃除具の保持具の一例を示す模式的な側面図である。
【図７】図７（ａ）は第１実施形態に係る掃除具の面状カバーの準備領域を折り込んで自在箒のヘッド部に装着した状態の一例を示す模式的な左側面図であり、図７（ｂ）は第１実施形態に係る掃除具の面状カバーの使用済領域の汚れが付着した面を巻き込んで自在箒のヘッド部に装着した状態の一例を示す模式的な左側面図である。
【図８】本発明の第２実施形態に係る掃除具の裸の状態の構造の概略を説明する模式的な左側面図である。
【図９】第２実施形態に係る掃除具に面状カバーを取り付けた状態を示す模式的な左側面図である。
【図１０】第２実施形態に係る掃除具の構成の要部の一部を説明するための模式的な左側面図である。
【図１１】本発明の第３実施形態に係る掃除具の裸の状態の構造の概略を説明する模式的な正面図である。
【図１２】第３実施形態に係る掃除具の裸の状態の構造の概略を説明する模式的な左側面である。
【図１３】第３実施形態に係る掃除具の掃引部の構造を説明するための模式的な鳥瞰図である。
【図１４】第３実施形態に係る掃除具を用いて掃除をする場合において、柄部の長手方向が畳面（床面）となす角度の変化を説明する模式図である。
【図１５】第３実施形態に係る掃除具に面状カバーを取り付けた状態の要部の一部を説明するための模式的な左側面である。
【図１６】本発明の第４実施形態に係る掃除具の裸の状態の構造の概略を説明する模式的な左側面である。
【図１７】第４実施形態に係る掃除具の裸の状態の掃引部の構造の概略を説明する模式的な鳥瞰図である。
【図１８】第４実施形態に係る掃除具に面状カバーを取り付けた状態の要部の一部を説明するための模式的な左側面である。
【図１９】本発明の第５実施形態に係る掃除具の裸の状態の構造の概略を説明する模式的な正面図である。
【図２０】第５実施形態に係る掃除具に面状カバーを取り付けた状態の概略を説明する模式的な正面図である。
【発明を実施するための形態】
【００１２】
図面を参照して、本発明の第１〜第５実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１３】
又、以下に示す第１〜第５実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１４】
（第１実施形態）
本発明の第１実施形態に係る掃除具は、図１に示すように、棒状の柄部１１と、柄部１１の先端に設けられた非可撓性の甲（台座部）１４と、 甲１４の下面に設けられた可撓性の掃引部１２aを備える。掃引部１２aが甲１４の下面に接続された板状の基体１２baseと、基体１２baseと一体となるように、基体１２baseの下面の少なくとも一部に連続する突起部１２p00を有する。甲１４と、 甲１４の下面に設けられた可撓性の掃引部１２aとで、第１実施形態に係る掃除具のヘッド部（１２a，１４）を構成している。
【００１５】
図１に示すように棒状の柄部１１が、この柄部１１の下方の先端が、ヘッド部（１２a，１４）の長辺方向の中央に当たるように取り付けられて逆Ｔ字型のトポロジを構成している。図１に示す逆Ｔ字型のトポロジは、概略としては従来の自在箒やフロアブラシ又はデッキブラシと類似の構造に対応するものであるが、この逆Ｔ字型のトポロジをベース（骨格部）として、第１実施形態に係る掃除具が構成されている。
【００１６】
又、畳の上を掃除するような状況に対応して、第１実施形態に係る掃除具はヘッド部（１２a，１４）の表面を、掃引部１２aをガイドとして移動可能に取り付けることが可能な長方形の面状カバー２をオプション又は標準的消耗品として備えることができる。面状カバー２の端部側をヘッド部（１２a，１４）に保持するためには、保持具（３ａ，３ｂ）も用意されている。保持具（３ａ，３ｂ）は、長方形の面状カバー２の少なくとも一方の端部側を折り曲げ、一方の端部に対向する他方の端部側と共に、面状カバー２の両端部を甲１４に押圧して固定することができる。これにより、面状カバー２が図１に示すように、突起部を含むように掃引部１２aを覆い、突起部の先端部の長手方向に垂直となる方向に、面状カバー２が掃引部１２aの表面を移動可能になる。
【００１７】
図２に示すように、ヘッド部（１２a，１４）は、天然木のような非可撓性の硬い材料からなるほぼ直方体状の甲１４と、甲１４に連続して固定された掃引部１２aで構成される。「ほぼ直方体状」とは、図１に示すように直方体の下面が中央部及び上面に比して広がった台形に近い形状になっている形状を意図する表現である。掃引部１２aは、可撓性の領域からなり、掃引部１２aの立体の表面が、吸着シートとしての使用の対応に応じた面状カバー２の移動を導く（ガイドする）。甲１４はほぼ直方体の形状であるが、図１の正面図で上部の端部が丸みを有しているので、正面図の形状としては細長い蒲鉾型に近い形状である。図１の正面図で上方から見た甲１４の上面図は幅の狭い長方形になり、ヘッド部（１２a，１４）及び甲１４の長手方向（長辺方向）が定義される。
【００１８】
掃引部１２aは従来の自在箒の穂（ブラシ部）に対応する可撓性の部材であり、穂先側の辺が台形状に広がるが、穂先の形状が従来の自在箒の穂とは異なる。即ち、図１から９０°回転した方向の左側面図を図２に示すように第１実施形態に係る掃除具の掃引部１２aの先端（図２において下端）の穂先は、稜線方向がヘッド部（１２a，１４）の長辺方向と平行となるように山型に切り揃えられている。即ち掃引部１２aは平坦な板状の基体１２baseと、基体１２baseに連続する三角柱状の突起部１２p00から合成されている。図２の断面図上では、穂先を構成する二等辺三角形の突起部１２p00の底辺が長方形の基体１２baseの短辺に一体となるように接続された形状として掃引部１２aが表現されている。掃引部１２aに用いる可撓性の部材の材料としては、ポリプロピレン(ＰＰ)やシリコーン樹脂等の高分子樹脂のフィラメント状素材、パーム、シダ等の植物性のフィラメント状素材、馬の毛等の動物性のフィラメント状素材が採用可能である。シリコーン樹脂には一般的なシリコーンゴムとして知られているビニルメチルシリコーンゴム（ＶＭＱ ）の他、メチルフェニルシリコーン樹脂やアクリル変成シリコーン樹脂等の有機樹脂変性シリコーン樹脂等が含まれてもよい。これらの植物性のフィラメント状素材（植物繊維）、高分子樹脂のフィラメント状素材（化学繊維）や動物性のフィラメント状素材（動物繊維）を互いに隣接させ結束集合構造をなすことにより、単体の素材の可撓性に比し、より自由度の大きな可撓性を得ることができる。
【００１９】
又、これらの植物性のフィラメント状素材、高分子樹脂のフィラメント状素材、動物性のフィラメント状素材を混合して結束集合構造を達成し、可撓性及び弾力性のある掃引部１２aを構成してもよい。例えば、シリコーン樹脂からなるフィラメント状結束集合構造を中心側の板状構造として形成し、この中心側の板状構造の両側をポリプロピレンからなるフィラメント状結束集合構造を板状に挟んだ３層構造にしてもよい。或いは植物性のフィラメント状結束集合構造の層、高分子樹脂のフィラメント状結束集合構造の層、動物性のフィラメント状結束集合構造の層のうちの少なくとも２層を任意選択して組み合わせた複合構造でも構わない。又、市販されている自在箒の穂の結束集合構造の先端を山型に切り取り突起部１２p00を構成して、第１実施形態に係る掃除具の掃引部１２aの可撓性を実現してもよい。掃引部１２aは可撓性や弾力性に加え、自在箒の穂と同様な柔軟性を有していてもよい。いずれにせよ、第１実施形態に係る掃除具のヘッド部（１２a，１４）は、穂先の稜線を含む突起部１２p00が可撓性を有し、稜線に垂直方向の穂の断面が稜線の位置を三角形の頂点する山型の形状に定義された穂と同様な構造の、掃引部１２aを含む。
【００２０】
図１及び図３に示すように、第１実施形態に係る掃除具の面状カバー２は、少なくとも可撓性の領域から構成された掃引部１２aの全体を下側から覆い、掃引部１２aの稜線に垂直方向に、ヘッド部（１２a，１４）の表面を移動可能に取り付けられた吸着シートである。面状カバー２は、少なくとも掃引部１２aの全体を弛み部2p1を介して下側から覆い、掃引部１２aの表面に沿って摺動移動可能に取り付けられる。弛み部2p1の内部には空洞部2vが設けられている。面状カバー２の掃除による汚れの状況や履歴を反映して、図４（ａ）に示すように、掃引部１２aの周りを弛み部2p1を介して覆うような態様で移動する。図1に示すように面状カバー２は、掃引部１２aの穂幅よりも左側に左側余裕長ＬL分、右側に右側余裕長ＬR（＝ＬL）分だけ長い。
【００２１】
面状カバー２には、ポリエステル、レーヨン、ナイロン、ビニロン、アクリル、ポリプロピレン（ＰＰ）、ポリエチレン（ＰＥ）、ポリオレフィン等の材料からなる不織布等の布状素材が好適に採用可能である。或いは、綿花、絹、羊毛、麻、パルプ、鉱物繊維等の材料からなる不織布等の多孔質構造の布状素材が採用可能である。更に、アクリル(３０%)、ポリエステル(６０%)、ポリプロピレン(１０%)等のように、複数の素材を任意に組み合わせて面状カバー２を構成してもよい。不織布としては、メルトブロー不織布、ヒートボンド不織布、サクション不織布、スパンボンド不織布、スパンレース不織布等が採用可能である。又、不織布に、アルキルアミンオキシド等の界面活性剤やエチルアルコール等を含侵させてウェットタイプにしても、液成分を含侵させないでドライタイプにしてよい。ウェットタイプの場合、除菌剤や香料等を面状カバー２に含ませても構わない。
【００２２】
図４（ａ）に示すように床面側の面状カバー２lowerを畳面Ｅに沿って、可撓性及び弾力性を伴いながら動かしてゴミや埃を掃くと、吸着シートとして畳面Ｅに接触している面状カバー２lowerにゴミや埃が付着する。弛み部2p1の内部には弛み長ｄvの長さの扁平な空洞部2vが存在するが、図４（ａ）に示すように空洞部2vの上側に位置する弛み部2p1の上面にもゴミや埃が付着する。現在使用中の面状カバー２lowerや弛み部2p1の上側の面にゴミや埃が付着した際は、ヘッド部（１２a，１４）の上面側に寄せた面状カバー２の準備領域２befを解き、折り込まれた部分の面積を上面側の面状カバー２upperの方向に、掃引部１２aの周りを摺動して、逐次移動させる。即ち、第１実施形態に係る掃除具では、図４（ａ）に示すように上面側の面状カバー２upperから床面側の面状カバー２lowerの方向に、面状カバー２の稼働領域を弛み部2p1を設けながら逐次動かして、可撓性や弾力性を伴うように、面状カバー２lowerを畳面Ｅに接触させ、ゴミや埃を掃く。このとき、図４（ｂ）に示すように弛み部2p1の先端の帯状の遷移領域２topにはゴミや埃が付着しないのが、特徴である。
【００２３】
面状カバー２の端部側をヘッド部（１２a，１４）に保持する保持具（３ａ，３ｂ）は、第１の保持具３ａと第２の保持具３ｂを含む。即ち、掃引部１２aの周りを摺動移動できるように、甲１４の左側には、面状カバー２を上側から挟み込んで固定する第１の保持具３ａ設けられている。同様に、甲１４の右側には、面状カバー２を上側から挟み込んで固定する第２の保持具３ｂが設けられ、掃引部１２aの周りの面状カバー２の摺動移動を可能にしている。柄部１１の上部には、立てかけ部１３が巻きつけられていてもよい。
【００２４】
第１の保持具３ａに着目して説明すると、第１の保持具３ａは、例えば、第１アーム部３１ａ1と第２アーム部３１ａ2が、図６（ｂ）に示すように要ネジ３３ａで梃子動作するように結合されたクリップを基礎としている。第１アーム部３１ａ1は、図６（ａ）に示すように、逆Ｕ字型のクランプ部とこのクランプ部に連続するノブ（ハンドル）部で逆Ｙ字型の構造になっている。第２アーム部３１ａ2も、図６（ａ）に示したのと同様な逆Ｙ字型をなしている。図示を省略しているが、要ネジ３３ａの周りにはねじりコイルバネのような弾性体が組み込まれている。第１アーム部３１ａ1と第２アーム部３１ａ2は、ヘッド部（１２a，１４）に面状カバー２を固定できるサイズであればよい。
【００２５】
更に、図６（ａ）に示すように、第１アーム部３１ａ1の逆Ｕ字型に分岐しているクランプ部の先端（下端側）の留め部のそれぞれは、第１キャップ３２ａL1及び第１キャップ３２ａL1で覆われている。第２アーム部３１ａ2のクランプ部の先端の留め部も同様であるので、図６（ｂ）では第２アーム部３１ａ2の留め部を覆う第２キャップ３２ａL2と第１アーム部３１ａ1の留め部を覆う第１キャップ３２ａL1が示されている。第１キャップ３２ａL1、３２ａL1及び第２キャップ３２ａL2等は、第１アーム部３１ａ1の留め部に装着した際に、先端が掃引部１２aの最も外側の毛先より少し上方に位置するサイズであればよい。
【００２６】
図６（ａ）に示すように、第１アーム部３１ａ1の留め部の先端外側を覆う第１キャップ３２ａL1、３２ａL1の表面、更には図６（ｂ）に示すように、第２アーム部３１ａ2の留め部の先端外側を覆う第２キャップ２ａL2の表面も内側に向かって丸く切除されている。第２の保持具３ｂも第１の保持具３ａと同様な構造であり、重複した説明を省略するが、図４（ａ）（ａ）に示すように第１実施形態に係る掃除具を前傾して使用したときに、第１の保持具３ａと第２の保持具３ｂが床面に接触するのを防ぐことができる。第１キャップ３２ａL1、３２ａL1及び第２キャップ３２ａL2等の材質は、シリコーン樹脂やその他の合成樹脂が使用可能であるが、これらに限定されない。
【００２７】
本発明の第１実施形態に係る掃除具の掃引部１２aの周りに新品の面状カバー２を、最初に取り付ける際は、ヘッド部（１２a，１４）の正面側の甲１４と掃引部１２aの境目付近に面状カバー２の片端が当たるようにする。そして、ヘッド部（１２a，１４）を弛み部2p1を介して下側から覆うように、最初に使用予定している箇所となる領域の面状カバー２を広がて被せる。この際、図５に示すように、ヘッド部（１２a，１４）の裏面において、次回以降使用する箇所となる面状カバー２の準備領域２befを蛇腹状に折り込み、第１の保持具３ａと第２の保持具３ｂで掃引部１２aの周りを囲むように、ヘッド部（１２a，１４）に固定する。
【００２８】
例えば、面状カバー２が掃除による汚れを反映して、掃引部１２aの周りをｎ回移動して、新しい面状カバー２の領域を露出する場合は、蛇腹状に折り込まれる面状カバー２の準備領域２befの面積は、最初に使用予定している箇所となる領域の面積のｎ倍に設定される。実際には市販されている掃除用シート等を面状カバー２として用いるのが好適であるので、その場合は、市販されている掃除用シート等の面積（例えば５４０×２０５ｍｍ等）を前提として、ｎの値を決めてもよい。幅３００ｍｍ×長さ２０ｍ等のロールタイプの掃除用シートもあるので、任意の長さに切り出して使用してもよい。図７（ａ）は、面状カバー２を装着したヘッド部（１２a，１４）の左側面図であるが、面状カバー２の準備領域２befは甲１４の位置で折り込まれる。折り込み方法は蛇腹状意外にも、ギャザー状や巻き物状が挙げられるが、これらに限定されるものではなく、第１の保持具３ａと第２の保持具３ｂで掃引部１２aに、逐次移動可能に固定できればよい。
【００２９】
既に説明したとおり、第１実施形態に係る掃除具は、面状カバー２を取り付けた状態でヘッド部（１２a，１４）を、可撓性及び弾力性を伴いながら畳面Ｅに当て、図４（ａ）に示すように床面側の面状カバー２lowerを畳面Ｅに沿って動かしてゴミや埃を掃く。使用していくと面状カバー２の畳面Ｅに接触している面状カバー２lowerにゴミや埃が付着する。現在使用中の面状カバー２lowerにゴミや埃が付着した際は、第１の保持具３ａと第２の保持具３ｂを緩める。第１の保持具３ａと第２の保持具３ｂを開放して、ヘッド部（１２a，１４）の上面側に寄せた面状カバー２の準備領域２befを解き、折り込まれた部分の面積を上面側の面状カバー２upperの方向に、逐次ずらせばよい。移動した後、再度第１の保持具３ａと第２の保持具３ｂで面状カバー２を固定する。即ち、第１の保持具３ａと第２の保持具３ｂを逐次開放して、図７（ａ）に示された状態の上面側の面状カバー２upperから床面側の面状カバー２lowerの方向に、面状カバー２の稼働領域を変化させる。
【００３０】
面状カバー２の未使用の部分が、新たな床面側の面状カバー２lowerとなり、床面に接触するため、再び、ゴミや埃が付着するようになる。図７（ｂ）に示すように、床面側にずらした面状カバー２の使用済領域２aftは、床面側の甲１４の位置で汚れた面が内側となるように端から巻き込み、第１の保持具３ａ、第２の保持具３ｂでヘッド部（１２a，１４）に固定する。このように使うことで、１枚の面状カバー２をｎ＝４〜５回使用可能となる。
【００３１】
埃が沢山溜まっている場所をいきなり濡れ雑布で拭くと、かえって汚れをすり込んで真っ黒に汚してしまうことがある。第１実施形態に係る掃除具によれば、面状カバー２を用いて、まず「乾拭き雑布」で埃を取る。乾いた面状カバー２の箇所を「乾拭き雑布」としてこするだけで、かなりの掃除ができる。その後、面状カバー２の稼働領域を移動し、次の使用予定の領域を濡らして「湿り雑布」とする。即ち、面状カバー２の新たな箇所を「湿り雑布」として用い完璧な掃除をすることができる。面状カバー乾いた部分が「湿り雑布」として利用している領域の水気を吸って、埃を取るのに丁度よい湿り具合になる。このように、第１実施形態に係る掃除具によれば、「乾拭き雑布」と「湿り雑布」の機能を一枚の面状カバー２で実現できるので、使い勝手がよく便利である。
【００３２】
「乾拭き雑布」と「湿り雑布」のような機能分割の他、ガラス破片を含んだゴミと紙質のゴミ等、種類や性質の異なるゴミの掃除を、吸着シートとしての一枚の面状カバー２で実現できるので、第１実施形態に係る掃除具は使い勝手がよく、効率的である。
【００３３】
以上のとおり、第１実施形態に係る掃除具によれば、簡単な手順で一枚の面状カバー２をヘッド部（１２a，１４）に取り付けることが可能で、この一枚の面状カバー２を吸着シートとして順次ヘッド部（１２a，１４）の掃引部１２aに沿って移動させ、埃を取る等の掃除を他数回実施可能である。第１実施形態に係る掃除具によれば、従来の自在箒の場合のように、ブラシの中にゴミや埃が入る問題もなく、面状カバー２で掃いた際に埃も舞い上がらないため衛生的である。
【００３４】
特に、第１実施形態に係る掃除具によれば、掃引部１２aの可撓性及び弾力性を活用できるので、畳の目に残るような細かい埃がよく取れるという有利な効果を奏することができる。又、第１実施形態に係る掃除具によれば、掃除具を前傾して使用する際に面状カバー２を固定する保持具（３ａ，３ｂ）が畳面Ｅに接触しないため、使い勝手もよい。
【００３５】
（第２実施形態）
本発明の第２実施形態に係る掃除具は、図８に示すように棒状の柄部１１がヘッド部（１２b，１４）に取り付けられている点では第１実施形態に係る掃除具の骨格構造と同様である。しかし、ヘッド部（１２b，１４）を構成している掃引部１２bの突起部（第１の突起部）１２p00の先端に扁平な篦部（へらぶ）１２p11が第２の突起部として突出し、２段の突起部を構成している点で第１実施形態に係る掃除具とは異なる。第２実施形態に係る掃除具の掃引部１２bは、板状（直方体状）の基体１２baseと、基体１２baseに連続する三角柱状の第１の突起部１２p00と、扁平な篦部（第２の突起部）１２p11とで合成されている。図８の断面図上では、二等辺三角形の第１の突起部１２p00の頂点に長方形の篦部（第２の突起部）１２p11が一体となるよう接続され、第１の突起部１２p00の底辺が長方形の基体１２baseの短辺に一体となるように接続された形状として掃引部１２bが表現されている。正面図の図示を省略しているが、図１に示した第１実施形態に係る掃除具の骨格構造と同様に、棒状の柄部１１がヘッド部（１２b，１４）の長辺方向の中央に当たるように取り付けられて逆Ｔ字型のトポロジを構成している。そして、本発明の第２実施形態に係る掃除具は、図９に示すように、ヘッド部（１２b，１４）の表面を移動可能な態様で取り付けられた長方形の面状カバー２を吸着シート（掃除用シート）として備え、図示を省略しているが、第1実施形態に係る掃除具と同様に、面状カバー２の端部側をヘッド部（１２b，１４）に移動可能に保持する保持具を備える（図1の保持具（３ａ，３ｂ）参照。）。
【００３６】
図８に示すように第２実施形態に係る掃除具の掃引部１２bの先端（図８において下端）の穂先をなす第１の突起部１２p00には、長手方向をヘッド部（１２b，１４）の長辺方向と平行とした板状の篦部（第２の突起部）１２p11が突出するように設けられている。第２の突起部１２p11は、第１の突起部１２p00及び基体１２baseと一体の構造の掃引部１２bとすることが好ましく、第２の突起部１２p11に用いる可撓性の部材の材料としては、第１の突起部１２p00及び基体１２baseと同様な高分子樹脂のフィラメント状素材、植物性のフィラメント状素材、動物性のフィラメント状素材を篦状に加工して用いることが可能である。例えば、市販されている自在箒の穂の結束集合構造の先端側を第１の突起部１２p00をなすように二等辺三角形に搾り、更に二等辺三角形の頂点側を第２の突起部１２p11の形状を構成するように扁平な直方体状に切り取り、第２実施形態に係る掃除具の掃引部１２bの先端構造とすれば可撓性を有した板状の第２の突起部１２p11が実現できる。
【００３７】
図９に示すように、第２実施形態に係る掃除具の面状カバー２は、少なくとも可撓性の領域から構成された掃引部１２bの全体を下側から覆い、第２の突起部１２p11の長手方向に垂直方向に、ヘッド部（１２b，１４）の表面を移動可能に取り付けられる。面状カバー２は、第２の突起部１２p11の先端に空洞部2vを設けた弛み部2p11を介して掃引部１２bの下側から覆い、掃引部１２bの表面に沿って摺動移動可能に取り付けられる。面状カバー２の掃除による汚れの状況や履歴を反映して、図１０に示すように、掃引部１２bの周りを弛み部2p11を介して覆うような態様で移動する。図示を省略しているが、図１に示した構造と同様に、面状カバー２は、掃引部１２bの穂幅よりも左側に左側余裕長ＬL分、右側に右側余裕長ＬR（＝ＬL）分だけ長い。
【００３８】
第１実施形態に係る掃除具と同様に、吸着シート（掃除用シート）として機能する面状カバー２には、ポリエステル等の材料からなる不織布等の布状素材や多孔質構造の布状素材が採用可能である。又、不織布に、アルキルアミンオキシド等の界面活性剤やエチルアルコール等を含侵させてウェットタイプにしても、液成分を含侵させないでドライタイプにしてよいことも第１実施形態に係る掃除具と同様であるので重複した記載を省略する。
【００３９】
図１０に示すように弛み部2p11の内部となる第２の突起部１２p11の左側に、弛み長ｄvの長さの扁平な空洞部2vが存在する。図１０に示すように空洞部2vの上側に位置する弛み部2p11の上面にもゴミや埃が付着する。現在使用中の面状カバー２lowerや弛み部2p11の上側の面にゴミや埃が付着した際は、ヘッド部（１２b，１４）の上面側に寄せた面状カバー２の準備領域２befを解き、折り込まれた部分の面積を上面側の面状カバー２upperの方向に、掃引部１２bの周りを摺動して、逐次移動させる。即ち、第２実施形態に係る掃除具では、図１０に示すように上面側の面状カバー２upperから床面側の面状カバー２lowerの方向に、面状カバー２の稼働領域を弛み部2p11を設けながら逐次動かして、可撓性や弾力性を伴うように、面状カバー２lowerを畳面Ｅに接触させ、ゴミや埃を掃く。このとき、図４（ｂ）に示したのと同様に、弛み部2p11の先端の帯状の遷移領域２topにはゴミや埃が付着しないのが、特徴である。
【００４０】
図示を省略しているが、面状カバー２の端部側をヘッド部（１２b，１４）に保持する保持具（３ａ，３ｂ）が設けられるが、保持具（３ａ，３ｂ）の構造や機能・動作等の説明は、第１実施形態に係る掃除具と同様であるので重複した記載を省略する。
【００４１】
第１実施形態に係る掃除具と同様に、第２実施形態に係る掃除具は、面状カバー２を取り付けた状態でヘッド部（１２b，１４）を、可撓性及び弾力性を伴いながら畳面Ｅに当て、図１０に示すように床面側の面状カバー２lowerを畳面Ｅに沿って動かしてゴミや埃を掃く。使用していくと面状カバー２の畳面Ｅに接触している面状カバー２lowerにゴミや埃が付着する。現在使用中の面状カバー２lowerにゴミや埃が付着した際は、第１及び第２の保持具を緩める。第１及び第２の保持具を開放して、ヘッド部（１２b，１４）の上面側に寄せた面状カバー２の準備領域２befを解き、折り込まれた部分の面積を上面側の面状カバー２upperの方向に、逐次ずらせばよい。移動した後、再度第１及び第２の保持具で面状カバー２を固定する。即ち、第１及び第２の保持具を逐次開放して、図１０に示された状態の上面側の面状カバー２upperから床面側の面状カバー２lowerの方向に、面状カバー２の稼働領域を変化させる。
【００４２】
第２実施形態に係る掃除具によれば、第２の突起部１２p11を覆うようにヘッド部（１２b，１４）に一枚の面状カバー２を簡単な手順で取り付けることが可能で、この一枚の面状カバー２を順次ヘッド部（１２b，１４）の掃引部１２bに沿って移動させ、埃を取る等の掃除を他数回実施可能である。例えば、「乾拭き雑布」と「湿り雑布」の機能を一枚の面状カバー２で実現できるので、第１実施形態に係る掃除具と同様に、使い勝手がよく便利である。又、ガラス破片を含んだゴミと紙質のゴミ等、種類や性質の異なるゴミの掃除を、一枚の面状カバー２で実現できるので、第２実施形態に係る掃除具は使い勝手がよく、効率的である。第２実施形態に係る掃除具によれば、従来の自在箒の場合のように、ブラシの中にゴミや埃が入る問題もなく、面状カバー２で掃いた際に埃も舞い上がらないため衛生的である。特に、第２実施形態に係る掃除具によれば、第２の突起部１２p11が先端側に突出した構造の掃引部１２bの可撓性及び弾力性を活用できるので、畳の目に残るような細かい埃がよく取れるという有利な効果を奏することができる。
【００４３】
（第３実施形態）
本発明の第３実施形態に係る掃除具は、図１１及び図１２に示すように棒状の柄部１１が、ヘッド部（１２c，１４）に取り付けられ、ヘッド部（１２c，１４）の掃引部１２cの穂先の先端に扁平な篦部（へらぶ）１２p11が第２の突起部として突出し、２段の突起部を構成している点では、第２実施形態に係る掃除具とほぼ同様である。しかし、第２の突起部１２p11が設けられている第１の突起部１２p01の構造が第２実施形態に係る掃除具とは異なる。即ち、第２実施形態に係る掃除具においては第１の突起部１２p00は断面が二等辺三角形となる三角柱状であったが、第３実施形態に係る掃除具の第１の突起部１２p01は、基体１２baseよりも薄く、第２の突起部１２p11よりも厚い板状である。
【００４４】
第３実施形態に係る掃除具の掃引部１２cは、板状（直方体状）の基体１２baseと、基体１２baseに連続し基体１２baseよりも薄い板状（直方体状）の第１の突起部１２p01と、第１の突起部１２p01よりも薄い板状の第２の突起部１２p11とで合成されている。図１２の断面図上では、長方形の第１の突起部１２p01の下辺に、この下辺よりも短い上辺を有する長方形の第２の突起部１２p11が一体となるよう接続され、第１の突起部１２p01の上辺が、この上辺よりも長い下辺を有する長方形をなす基体１２baseに一体となるように接続された形状として掃引部１２cが表現されている。図１１に示すように、棒状の柄部１１がヘッド部（１２c，１４）の長辺方向の中央に当たるように取り付けられて逆Ｔ字型のトポロジを構成している。
【００４５】
柄部１１の長手方向に測った、第３実施形態に係る掃除具の掃引部１２cの寸法（高さ）は種々の値が選定できる。例えば、基体１２baseの高さｈ1＝１０〜２０ｍｍ、第１の突起部１２p01の高さｈ2＝８〜１５ｍｍ、第２の突起部１２p11の高さｈ3＝１０〜１８ｍｍ程度に選定できる。より具体的にはｈ1＝１３〜１７ｍｍ、ｈ2＝８〜１２ｍｍ、ｈ3＝１３〜１７ｍｍ程度に選定できるが、これらの値に限定されるものではない。
【００４６】
第２の突起部１２p11は、第１の突起部１２p01及び基体１２baseと一体の構造の掃引部１２cとすることが好ましく、第２の突起部１２p11に用いる可撓性の部材の材料としては、第１の突起部１２p01及び基体１２baseと同様な高分子樹脂のフィラメント状素材、植物性のフィラメント状素材、動物性のフィラメント状素材を篦状に加工して用いることが可能である。或いは、シリコーン樹脂からなるフィラメント状結束集合構造を中心側の板状構造として形成し、この中心の板状構造の両側をポリプロピレンからなるフィラメント状結束集合構造を板状にして挟んだ３層構造によって、第１の突起部１２p01及び第２の突起部１２p11をなす段差構造（階段状構造）を実現してもよい。
【００４７】
例えば、図１３に示すように、市販されている自在箒の穂の結束集合構造の下側を第１の突起部１２p01をなすように上側に位置する基体１２baseよりも薄い直方体となるように削り、更に長方形の先端側を第２の突起部１２p11の形状を構成するように扁平な直方体状に切り取れば可撓性を有した２段構造の第１の突起部１２p01及び第２の突起部１２p11が実現できる。図１３に示した段差構造において、基体１２baseの部分の両側をポリプロピレンからなるフィラメント状結束集合構造で構成し、第１の突起部１２p01及び第１の突起部１２p01に連続する基体１２baseの部分をシリコーン樹脂からなるフィラメント状結束集合構造で一体として構成し、基体１２baseの両側部分のポリプロピレンからな構造とは別体としてもよい。この場合は、第２の突起部１２p11及び第２の突起部１２p11に連続する第１の突起部１２p01、第１の突起部１２p01に連続する基体１２baseの部分もシリコーン樹脂からなるフィラメント状結束集合構造で一体として構成されるので、基体１２baseの両側部分のポリプロピレンからな構造の箇所のみ別体となる。
【００４８】
自在箒（自由箒）等の場合も同様であるが、本発明の第３実施形態に係る掃除具で畳面又は絨毯等の床面Ｅを掃除する場合、柄部１１の長手方向が床面Ｅとなす角度は図１４に示すように時間とともに変化する。図１４（ａ）は第２の突起部１２p11のみが床面Ｅに接している場合で代表的な傾斜角度θ0として、仮に定義する。 図１４（ｂ）は第２の突起部１２p11の角部と第１の突起部１２p01の角部が共に床面Ｅに接している場合で、このときの傾斜角度をθ1すると：
θ0  ＞ θ1           ……（１）
となる。 図１４（ｃ）は基体１２baseの角部が床面Ｅに接している場合でこのときの傾斜角度をθ2すると：
θ2  ＞ θ1           ……（２）
図１４（ｄ）は可撓性及び弾力性のある基体１２baseが、基体１２baseの角部を床面Ｅに接した状態で、更に彎曲した場合でこのときの傾斜角度をθ3すると：
θ0  ＞ θ3   ＞ θ2      ……（３）
となる。
【００４９】
本発明者の実験によれば、床面Ｅ上のゴミや埃は、第３実施形態に係る掃除具の第２の突起部１２p11の角部、第１の突起部１２p01の角部、基体１２baseの角部の近傍に付着する。即ち、本発明の第３実施形態に係る掃除具によれば、柄部１１の長手方向と床面Ｅとなす角度をθ0  ＞ θ3   ＞ θ2  ＞ θ1と順に変化させ、次に逆にθ1  ＜ θ2   ＜ θ3  ＜ θ0と順に変化させるように掃引部１２cを動かすことで、実質３回掃引部１２cを掃引したことと等価な効果が得られる。このことは掃引部１２cの１回の掃引が３回分の掃引に等価であることを意味するので、掃除が非常に楽になる。
【００５０】
既に述べたような、基体１２baseの部分の両側をポリプロピレンで構成し、それ以外の第１の突起部１２p01及び第２の突起部１２p11に連続する内側の基体１２baseの部分をシリコーン樹脂からなる構造とした２種の材料の複合構造とした場合は、１回の絨毯面の掃引が３回分の絨毯面の掃引に等価となる。よって、本発明の第３実施形態に係る掃除具を用いた絨毯面の掃除が非常にし易くなるという有利な効果を奏することができる。
【００５１】
そして、本発明の第３実施形態に係る掃除具は、図１５に示すように、ヘッド部（１２c，１４）の表面を移動可能な態様で取り付けられた長方形の面状カバー２を吸着シート（掃除用シート）として備える。図示を省略しているが、第1実施形態に係る掃除具と同様に、面状カバー２の端部側をヘッド部（１２c，１４）に移動可能に保持する保持具を更に備える（図1の保持具（３ａ，３ｂ）参照。）。図１５に示すように、第３実施形態に係る掃除具の面状カバー２は、少なくとも可撓性の領域から構成された掃引部１２cの全体を下側から覆い、第２の突起部１２p11の長手方向に垂直方向に、ヘッド部（１２c，１４）の表面を移動可能に取り付けられる。面状カバー２は、第２の突起部１２p11の先端に空洞部2vを設けた弛み部2p11を介して掃引部１２cの下側から覆い、掃引部１２cの表面に沿って摺動移動可能に取り付けられる。面状カバー２の掃除による汚れの状況や履歴を反映して、図１５に示すように、掃引部１２cの周りを弛み部2p11を介して覆うような態様で移動する。図示を省略しているが、図１に示した構造と同様に、面状カバー２は、掃引部１２cの穂幅よりも左側に左側余裕長ＬL分、右側に右側余裕長ＬR（＝ＬL）分だけ長い。
【００５２】
第１及び第２実施形態に係る掃除具と同様に、吸着シート（掃除用シート）として機能する面状カバー２には、ポリエステル等の材料からなる不織布等の布状素材や多孔質構造の布状素材が採用可能である。又、不織布に、アルキルアミンオキシド等の界面活性剤やエチルアルコール等を含侵させてウェットタイプにしても、液成分を含侵させないでドライタイプにしてよいことも第１及び第２実施形態に係る掃除具と同様であるので重複した記載を省略する。
【００５３】
図１５に示すように弛み部2p11の内部となる第２の突起部１２p11の左側に、弛み長ｄvの長さの扁平な空洞部2vが存在する。図１５に示すように空洞部2vの上側に位置する弛み部2p11の上面にもゴミや埃が付着する。現在使用中の面状カバー２lowerや弛み部2p11の上側の面にゴミや埃が付着した際は、ヘッド部（１２c，１４）の上面側に寄せた面状カバー２の準備領域２befを解き、折り込まれた部分の面積を上面側の面状カバー２upperの方向に、掃引部１２cの周りを摺動して、逐次移動させる。即ち、第３実施形態に係る掃除具では、図１５に示すように上面側の面状カバー２upperから床面側の面状カバー２lowerの方向に、面状カバー２の稼働領域を弛み部2p11を設けながら逐次動かして、可撓性や弾力性を伴うように、面状カバー２lowerを床面Ｅに接触させ、ゴミや埃を掃く。このとき、図４（ｂ）に示したのと同様に、弛み部2p11の先端の帯状の遷移領域２topにはゴミや埃が付着しないのが、特徴である。図示を省略しているが、面状カバー２の端部側をヘッド部（１２c，１４）に保持する保持具が設けられるが、保持具の構造や機能・動作等の説明は、第１実施形態に係る掃除具と同様であるので重複した記載を省略する。
【００５４】
第１及び第２実施形態に係る掃除具と同様に、第３実施形態に係る掃除具は、面状カバー２を取り付けた状態でヘッド部（１２c，１４）を、可撓性及び弾力性を伴いながら床面Ｅに当て、図１５に示すように床面側の面状カバー２lowerを床面Ｅに沿って動かしてゴミや埃を掃く。使用していくと面状カバー２の床面Ｅに接触している面状カバー２lowerにゴミや埃が付着する。現在使用中の面状カバー２lowerにゴミや埃が付着した際は、第１及び第２の保持具を緩める。第１及び第２の保持具を開放して、ヘッド部（１２c，１４）の上面側に寄せた面状カバー２の準備領域２befを解き、折り込まれた部分の面積を上面側の面状カバー２upperの方向に、逐次ずらせばよい。移動した後、再度第１及び第２の保持具で面状カバー２を固定する。即ち、第１及び第２の保持具を逐次開放して、図１５に示された状態の上面側の面状カバー２upperから床面側の面状カバー２lowerの方向に、面状カバー２の稼働領域を変化させる。
【００５５】
ヘッド部（１２c，１４）の掃引部１２cの表面を移動可能な態様で面状カバー２を取り付けた場合も、柄部１１の長手方向が床面Ｅとなす角度を図１４に示すように変化させれば、極めて効率的な掃除が可能となる。即ち、柄部１１の長手方向と床面Ｅとなす角度を図１４に示すように、θ0  ＞ θ3   ＞ θ2  ＞ θ1と順に変化させ、次に逆にθ1  ＜ θ2   ＜ θ3  ＜ θ0と順に変化させるように掃引部１２cを動かすことで、実質３回掃引部１２cを掃引したことと等価な効果が得られる。掃引部１２cの表面に面状カバー２を取り付けた状態の掃除は畳面の上等が好適である。一方、図１４に示すような面状カバー２を取り付けない裸の掃引部１２cによる掃除は、玄関のたたき（三和土）の上のゴムマット等の掃除に好適である。
【００５６】
第３実施形態に係る掃除具によれば、第２の突起部１２p11を覆うようにヘッド部（１２c，１４）に一枚の面状カバー２を簡単な手順で取り付けることが可能で、この一枚の面状カバー２を順次ヘッド部（１２c，１４）の掃引部１２cに沿って移動させ、埃を取る等の掃除を他数回実施可能である。例えば、「乾拭き雑布」と「湿り雑布」の機能を一枚の面状カバー２で実現できるので、第１及び第２実施形態に係る掃除具と同様に、使い勝手がよく便利である。又、ガラス破片を含んだゴミと紙質のゴミ等、種類や性質の異なるゴミの掃除を、一枚の面状カバー２で実現できるので、第３実施形態に係る掃除具は使い勝手がよく、効率的である。第３実施形態に係る掃除具によれば、従来の自在箒の場合のように、ブラシの中にゴミや埃が入る問題もなく、面状カバー２で掃いた際に埃も舞い上がらないため衛生的である。特に、第３実施形態に係る掃除具によれば、第２の突起部１２p11が先端側に突出した構造の掃引部１２cの可撓性及び弾力性を活用できるので、畳の目に残るような細かい埃がよく取れるという有利な効果を奏することができる。
【００５７】
（第４実施形態）
本発明の第４実施形態に係る掃除具は、図１６〜図１８に示すように棒状の柄部１１がヘッド部（１２d，１４）に取り付けられ、ヘッド部（１２d，１４）が２段の突起部を構成した掃引部１２dを有している点では、第３実施形態に係る掃除具とほぼ同様である。しかし、第２の突起部１２p12の断面が二等辺三角形である点で第３実施形態に係る掃除具とは異なる。即ち、第３実施形態に係る掃除具においては第１の突起部１２p01は、基体１２baseよりも薄い板状（直方体状）であり、断面が二等辺三角形となる三角柱状の第２の突起部１２p１２が第１の突起部１２p01に設けられている。
【００５８】
第４実施形態に係る掃除具の掃引部１２dは、板状（直方体状）の基体１２baseと、基体１２baseに連続し基体１２baseよりも薄い板状（直方体状）の第１の突起部１２p01と、断面が二等辺三角形の第２の突起部１２p12とで合成されている。図１６の断面図上では、長方形の第１の突起部１２p01の下辺に、この下辺よりも短い底辺を有する二等辺三角形の第２の突起部１２p12が一体となるよう接続され、第１の突起部１２p01の上辺が、この上辺よりも長い下辺を有する長方形をなす基体１２baseに一体となるように接続された形状として掃引部１２dが表現されている。正面図の図示を省略しているが、図１１に示したのと同様に、棒状の柄部１１がヘッド部（１２d，１４）の長辺方向の中央に当たるように取り付けられて逆Ｔ字型のトポロジを構成している。
【００５９】
第２の突起部１２p12は、第１の突起部１２p01及び基体１２baseと一体の構造の掃引部１２dとすることが好ましく、第２の突起部１２p12に用いる可撓性の部材の材料としては、第１の突起部１２p01及び基体１２baseと同様な高分子樹脂のフィラメント状素材、植物性のフィラメント状素材、動物性のフィラメント状素材を篦状に加工して用いることが可能である。例えば、図１７に示すように、市販されている自在箒の穂の結束集合構造の下側を第１の突起部１２p01をなすように上側に位置する基体１２baseよりも薄い直方体となるように削り、更に長方形の先端側を断面が二等辺三角形となる第２の突起部１２p12の形状を構成するように絞るように切り取れば可撓性を有した２段構造の第１の突起部１２p01及び第２の突起部１２p12が実現できる。
【００６０】
図１４に示したのと同様に、本発明の第４実施形態に係る掃除具で床面Ｅを掃除する場合柄部１１の長手方向が床面Ｅとなす角度が変化する。このため、掃引部１２dの１回の掃引が３回分の掃引に等価となるように、床面Ｅ上のゴミや埃が第４実施形態に係る掃除具の第２の突起部１２p12の先端部、第１の突起部１２p01の角部、基体１２baseの角部の近傍に付着するので、掃除が非常に楽になる。
【００６１】
そして、本発明の第４実施形態に係る掃除具は、図１８に示すように、ヘッド部（１２d，１４）の表面を移動可能な態様で取り付けられた長方形の面状カバー２を吸着シート（掃除用シート）として備える。図示を省略しているが、第1実施形態に係る掃除具と同様に、面状カバー２の端部側をヘッド部（１２d，１４）に移動可能に保持する保持具を更に備える（図1の保持具（３ａ，３ｂ）参照。）。図１８に示すように、第４実施形態に係る掃除具の面状カバー２は、少なくとも可撓性の領域から構成された掃引部１２dの全体を下側から覆い、第２の突起部１２p12の長手方向に垂直方向に、ヘッド部（１２d，１４）の表面を移動可能に取り付けられる。面状カバー２は、第２の突起部１２p12の先端に空洞部2vを設けた弛み部2p12を介して掃引部１２dの下側から覆い、掃引部１２dの表面に沿って摺動移動可能に取り付けられる。面状カバー２の掃除による汚れの状況や履歴を反映して、図１８に示すように、掃引部１２dの周りを弛み部2p12を介して覆うような態様で移動する。図示を省略しているが、図１に示した構造と同様に、面状カバー２は、掃引部１２dの穂幅よりも左側に左側余裕長ＬL分、右側に右側余裕長ＬR（＝ＬL）分だけ長い。
【００６２】
第１〜第３実施形態に係る掃除具と同様に、吸着シート（掃除用シート）として機能する面状カバー２には、ポリエステル等の材料からなる不織布等の布状素材や多孔質構造の布状素材が採用可能である。又、不織布に、アルキルアミンオキシド等の界面活性剤やエチルアルコール等を含侵させてウェットタイプにしても、液成分を含侵させないでドライタイプにしてよいことも第１〜第３実施形態に係る掃除具と同様であるので重複した記載を省略する。
【００６３】
図１８に示すように弛み部2p12の内部となる第２の突起部１２p12の左側に、弛み長ｄvの長さの扁平な空洞部2vが存在する。図１８に示すように空洞部2vの上側に位置する弛み部2p12の上面にもゴミや埃が付着する。現在使用中の面状カバー２lowerや弛み部2p12の上側の面にゴミや埃が付着した際は、ヘッド部（１２d，１４）の上面側に寄せた面状カバー２の準備領域２befを解き、折り込まれた部分の面積を上面側の面状カバー２upperの方向に、掃引部１２dの周りを摺動して、逐次移動させる。即ち、第４実施形態に係る掃除具では、図１８に示すように上面側の面状カバー２upperから床面側の面状カバー２lowerの方向に、面状カバー２の稼働領域を弛み部2p12を設けながら逐次動かして、可撓性や弾力性を伴うように、面状カバー２lowerを床面Ｅに接触させ、ゴミや埃を掃く。このとき、図４（ｂ）に示したのと同様に、弛み部2p12の先端の帯状の遷移領域２topにはゴミや埃が付着しないのが、特徴である。図示を省略しているが、面状カバー２の端部側をヘッド部（１２d，１４）に保持する保持具が設けられるが、保持具の構造や機能・動作等の説明は、第１実施形態に係る掃除具と同様であるので重複した記載を省略する。
【００６４】
第１〜第３実施形態に係る掃除具と同様に、第４実施形態に係る掃除具は、面状カバー２を取り付けた状態でヘッド部（１２d，１４）を、可撓性及び弾力性を伴いながら床面Ｅに当て、図１８に示すように床面側の面状カバー２lowerを床面Ｅに沿って動かしてゴミや埃を掃く。使用していくと面状カバー２の床面Ｅに接触している面状カバー２lowerにゴミや埃が付着する。現在使用中の面状カバー２lowerにゴミや埃が付着した際は、第１及び第２の保持具を緩める。第１及び第２の保持具を開放して、ヘッド部（１２d，１４）の上面側に寄せた面状カバー２の準備領域２befを解き、折り込まれた部分の面積を上面側の面状カバー２upperの方向に、逐次ずらせばよい。移動した後、再度第１及び第２の保持具で面状カバー２を固定する。即ち、第１及び第２の保持具を逐次開放して、図１８に示された状態の上面側の面状カバー２upperから床面側の面状カバー２lowerの方向に、面状カバー２の稼働領域を変化させる。
【００６５】
ヘッド部（１２d，１４）の掃引部１２dの表面を移動可能な態様で面状カバー２を取り付けた場合も、柄部１１の長手方向が床面Ｅとなす角度を図１４に示すように変化させれば、極めて効率的な掃除が可能となる。即ち、柄部１１の長手方向と床面Ｅとなす角度を図１４に示すように、θ0  ＞ θ3   ＞ θ2  ＞ θ1と順に変化させ、次に逆にθ1  ＜ θ2   ＜ θ3  ＜ θ0と順に変化させるように掃引部１２dを動かすことで、実質３回掃引部１２dを掃引したことと等価な効果が得られる。既に述べたとおり、図１４に示すような面状カバー２を取り付けない裸の掃引部１２dによる掃除は、玄関のたたき（三和土）の上のゴムマット等の掃除に好適である。一方、掃引部１２dの表面に面状カバー２を取り付けた場合は、畳の上の掃除に好適である。
【００６６】
第４実施形態に係る掃除具によれば、第２の突起部１２p12を覆うようにヘッド部（１２d，１４）に一枚の面状カバー２を簡単な手順で取り付けることが可能で、この一枚の面状カバー２を順次ヘッド部（１２d，１４）の掃引部１２dに沿って移動させ、埃を取る等の掃除を他数回実施可能である。第４実施形態に係る掃除具によれば、従来の自在箒の場合のように、ブラシの中にゴミや埃が入る問題もなく、面状カバー２で掃いた際に埃も舞い上がらないため衛生的である。特に、第４実施形態に係る掃除具によれば、第２の突起部１２p12が先端側に突出した構造の掃引部１２dの可撓性及び弾力性を活用できるので、畳の目に残るような細かい埃がよく取れるという有利な効果を奏することができる。
【００６７】
（第５実施形態）
本発明の第５実施形態に係る掃除具は、図１９に示すように棒状の柄部１１がヘッド部（１２e，１４）に取り付けられ、ヘッド部（１２e，１４）を構成している掃引部１２eが、板状（直方体状）の基体１２baseと、基体１２baseに連続し基体１２baseよりも薄い板状（直方体状）の第１の突起部１２p01と、第１の突起部１２p01よりも薄い板状の第２の突起部１２p11とで合成されている点では、第３実施形態に係る掃除具とほぼ同様である。しかし、第２の突起部１２p11の一方の端部に第３の突起部１２p2が更に設けられている構造が第３実施形態に係る掃除具とは異なる。
【００６８】
更に、第３の突起部１２p2が設けられている端部側の位置を示すために、ヘッド部（１２e，１４）の甲１４の片側（図１９において左側）のみに、第３の突起位置表示部１８が設けられている。第３の突起位置表示部１８はペイント（塗料）による色塗りやシール等により、甲１４とは異なる色度で表示されるものであれば、どのような態様の表示手段でも構わない。例えば、第３の突起位置表示部１８に発光ダイオード（ＬＥＤ）を配置しても構わない。
【００６９】
なお、色分けだけでなく、「突起有り」「突起側端部」等の文字表示や矢印等の図形表示を、第３の突起位置表示部１８に加えてもよい。第３の突起位置表示部１８が設けられる位置や大きさは、図１９に示した位置に限定されないが、面状カバー２で第３の突起部１２p2を覆った状態で、第３の突起部１２p2の位置が判断できる位置や大きさである必要がある。
【００７０】
第３実施形態に係る掃除具において例示的に示したのと同様に、柄部１１の長手方向に測った、第５実施形態に係る掃除具の掃引部１２cの基体１２baseの高さｈ1＝１０〜２０ｍｍ、第１の突起部１２p01の高さｈ2＝８〜１５ｍｍ、第２の突起部１２p11の高さｈ3＝１０〜１８ｍｍ程度に選定できる。そして、柄部１１の長手方向に測った、第５実施形態に係る掃除具の掃引部１２cの第３の突起部１２p2の高さを、ｈ4＝３〜８ｍｍ程度の寸法値に選定できる。より具体的にはｈ3＝４〜６ｍｍ程度の値が選定できるが、例示に過ぎない。
【００７１】
そして、本発明の第５実施形態に係る掃除具は、図２０に示すように、ヘッド部（１２e，１４）の表面を移動可能な態様で取り付けられた長方形の面状カバー２を吸着シート（掃除用シート）として備え、面状カバー２の端部側をヘッド部（１２e，１４）に移動可能に保持する保持具（３ａ，３ｂ）を備える。図２０に示すように、第５実施形態に係る掃除具の面状カバー２は、少なくとも可撓性の領域から構成された掃引部１２eの全体を下側から覆い、第２の突起部１２p11の長手方向に垂直方向に、ヘッド部（１２e，１４）の表面を移動可能に取り付けられる。
【００７２】
面状カバー２は、第２の突起部１２p11の左側の端部に設けられた第３の突起部１２p2を含み、先端の第３の突起部１２p2以外の箇所に空洞部を設けた弛み部を介して掃引部１２eの下側から覆い、掃引部１２eの表面に沿って摺動移動可能に取り付けられる。面状カバー２の掃除による汚れの状況や履歴を反映して、第１〜第４実施形態に係る掃除具と同様に、掃引部１２eの周りを弛み部を介して覆うような態様で移動する。図２０に示すように、面状カバー２は、掃引部１２eの穂幅よりも左側に左側余裕長ＬL分、右側に右側余裕長ＬR（＝ＬL）分だけ長い。
【００７３】
第１〜第４実施形態に係る掃除具と同様に、吸着シート（掃除用シート）として機能する面状カバー２には、ポリエステル等の材料からなる不織布等の布状素材や多孔質構造の布状素材が採用可能である。又、不織布に、アルキルアミンオキシド等の界面活性剤やエチルアルコール等を含侵させてウェットタイプにしても、液成分を含侵させないでドライタイプにしてよいことも第１〜第４実施形態に係る掃除具と同様であるので重複した記載を省略する。
【００７４】
第５実施形態に係る掃除具によれば、第３の突起部１２p2及び第２の突起部１２p11を覆うようにヘッド部（１２e，１４）に一枚の面状カバー２を簡単な手順で取り付けることが可能で、この一枚の面状カバー２を順次ヘッド部（１２e，１４）の掃引部１２eに沿って移動させ、埃を取る等の掃除を他数回実施可能である。特に、第５実施形態に係る掃除具によれば、鋭利な第３の突起部１２p2が一方の端部に突出した構造であるので、レールの間等の狭い部分の細かい埃がよく取れるという有利な効果を奏することができる。この際、図１９及び図２０に示されるように、第３の突起部１２p2が設けられている端部側の甲１４には、第３の突起位置表示部１８が設けられているので、面状カバー２によって第３の突起部１２p2が隠された状態でも、第３の突起部１２p2の位置が瞬時に判断できる。第３の突起位置表示部１８が設けられていることにより、掃除が迅速且つ効率的に実施でき、使用者にとって便利である。
【００７５】
（その他の実施形態）
上記のように、本発明は第１〜第５実施形態によって記載したが、この開示の一部をなす論述及び図面は本発明を限定するものであると理解すべきではない。この開示から当業者には様々な代替実施形態、実施例及び運用技術が明らかとなろう。例えば、既に述べた第１〜第５実施形態の説明においては、自在箒に類似な構造を概略として基礎について例示したが、本発明の掃除具の面状カバーを取り付ける基礎となる部材は市販されている自在箒の構造に限定されるものではない。
【００７６】
本明細書の冒頭で述べたように、自在箒の場合は、棒状の柄が柄の下方の先端を支点として、ヘッド部の長辺方向に沿った面内で１８０°回転可能なように、柄の下方の先端が、ヘッド部の長辺方向の中央の上部で結合されている。本発明の掃除具においては、ヘッド部（１２a，１２b，１２c，１２d、１２e；１４）に対して棒状の柄部１１が必ずしも自在箒と同様に回転自在に取り付けられている必要はない。しかし、逆に、自在箒と同様に、本発明の掃除具の柄部１１がヘッド部（１２a，１２b，１２c，１２d、１２e；１４）に対して回転自在に取り付けられていてもよい。
【００７７】
図１〜図３、図５等では柄部１１の長い「長箒」に類似な構造に着目して例示的に説明したが、図１〜図３、図５等に例示した柄部１１の長さよりも短い、手箒、ハンド箒、小箒に類似な構造を基礎として、本発明の突起部を有する掃引部を含むヘッド部を構成してもよい。更に、小型にして机上専用の小さな掃除具を構成してもよい。本発明の掃除具を小さな構造にして、洋服ブラシとして用いてもよい。
【００７８】
一方、天井専用の掃除具とする場合は、図１〜図３、図５等に例示した柄部１１の長さをより長くすればよい。又、図１〜図３、図５等に例示した柄部１１の長さは、立ったまま床などを掃けるような長さにするか、それよりも短くして、腰をかがめて用いる長さにしても構わない。このように、本発明はここでは記載していない様々な実施形態等を含むことは勿論である。したがって、本発明の技術的範囲は上記の説明から妥当な特許請求の範囲に係る発明特定事項によってのみ定められるものである。  
【符号の説明】
【００７９】
２…面状カバー
２aft…使用済領域
２bef…準備領域
２lower…床面側に位置する面状カバー
２top…遷移領域
２upper…上面側に位置する面状カバー
2v…空洞部
３ａ…第１の保持具
３ｂ…第２の保持具
１１…柄部
１２a，１２b，１２c，１２d、１２e…掃引部
１２base…掃引部
１２base…掃引部
１２p00，２p01…第１の突起部
１２p11，１２p12…第２の突起部
１２p2…第３の突起部
１３…立てかけ部
１４…甲
１８…第３の突起位置表示部
３１ａ1…第１アーム部
３１ａ2…第２アーム部
３２ａR1，３２ａL1…第１キャップ
３２ａL2…第２キャップ
３３ａ…要ネジ
【図１】
2020000294.tif 000003
【図２】
2020000294.tif 000004
【図３】
2020000294.tif 000005
【図４】
2020000294.tif 000006
【図５】
2020000294.tif 000007
【図６】
2020000294.tif 000008
【図７】
2020000294.tif 000009
【図８】
2020000294.tif 000010
【図９】
2020000294.tif 000011
【図１０】
2020000294.tif 000012
【図１１】
2020000294.tif 000013
【図１２】
2020000294.tif 000014
【図１３】
2020000294.tif 000015
【図１４】
2020000294.tif 000016
【図１５】
2020000294.tif 000017
【図１６】
2020000294.tif 000018
【図１７】
2020000294.tif 000019
【図１８】
2020000294.tif 000020
【図１９】
2020000294.tif 000021
【図２０】
2020000294.tif 000022
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
棒状の柄部と、
前記柄部の先端に設けられた非可撓性の甲と、
前記甲の下面に設けられた可撓性の掃引部と、
長方形の面状カバーの少なくとも一方の端部側を折り曲げ、前記一方の端部を、前記一方の端部に対向する他方の端部側と共に前記甲の両側に押圧して固定する、前記面状カバーの保持具と
を備え、前記面状カバーが前記掃引部を覆い、前記掃引部の下端部の長手方向に垂直となる方向に、前記面状カバーが前記掃引部の表面を移動可能であることを特徴とする掃除具。
【請求項２】
前記掃引部が、前記甲の下面に接続された板状の基体と、前記基体の下面の少なくとも一部に連続する突起部を有し、
前記面状カバーが前記突起部を含むように前記掃引部を覆い、前記突起部の先端部の長手方向に垂直となる方向に、前記面状カバーが前記掃引部の表面を移動可能にすることを特徴とする請求項１に記載の掃除具。
【請求項３】
前記突起部は、
前記基体の下面の少なくとも一部に連続する第１の突起部と、
前記第１の突起部と一体となるように、前記第１の突起部の下面の少なくとも一部に連続し先端側の領域を構成する第２の突起部と、
を有することを特徴とする請求項２に記載の掃除具。
【請求項４】
前記突起部は、前記第２の突起部の先端側の端部の一部に、前記第２の突起部と一体となるように連続する第３の突起部を更に有することを特徴とする請求項３に記載の掃除具。